(57)【要約】【課題】コンテンツの利用形態を管理するためのコンテンツ管理情報を磁気記録媒体に埋め込むことにより、コンテンツの種々の利用形態に対応しつつ不正利用を防止できるようにする。【解決手段】磁気記録媒体のトラックＩＤ埋め込み領域４０１には、各トラックにユニークなコードであるトラックＩＤに対応するパターン４０３と共に、コンテンツ管理情報としてのコピー管理情報に対応するパターン４０２を埋め込む。このコピー管理情報パターン４０２は、例えばグレイコードにより分類されてトラックごとに設定される。【選択図】　　　　図４
2004054977.tif 000002
【特許請求の範囲】
【請求項１】
予めデータパターンが埋め込まれている磁気記録媒体において、前記データパターンの少なくとも一部はコンテンツ管理情報に対応するパターンであることを特徴とする磁気記録媒体。
【請求項２】
請求項１に記載の磁気記録媒体において、前記コンテンツ管理情報に対応するパターンがトラックごとに設けられていることを特徴とする磁気記録媒体。
【請求項３】
請求項１又は２に記載の磁気記録媒体において、前記データパターンは、非磁性基板上にパターン化された凹凸を形成し、その上に磁性層を成膜することにより埋め込まれたものであることを特徴とする磁気記録媒体。
【請求項４】
請求項１から３のいずれかに記載の磁気記録媒体において、前記コンテンツ管理情報は、コンテンツのコピーを管理するためのコピー管理情報であることを特徴とする磁気記録媒体。
【請求項５】
請求項１から３のいずれかに記載の磁気記録媒体において、前記コンテンツ管理情報は、コンテンツの利用期間を管理するための期間管理情報であることを特徴とする磁気記録媒体。
【請求項６】
請求項４に記載の磁気記録媒体を備え、放送又は通信を介して得られるコンテンツを、当該コンテンツの配信者が許可したコピー形態に対応する前記コピー管理情報を持つトラックに蓄積することを特徴とする蓄積型磁気記録装置。
【請求項７】
請求項４に記載の磁気記録媒体を備え、放送又は通信を介して得られるコンテンツを、当該コンテンツの利用者が許可されたコピー形態に対応する前記コピー管理情報を持つトラックに蓄積することを特徴とする蓄積型磁気記録装置。
【請求項８】
請求項６又は７に記載の蓄積型磁気記録装置において、前記コンテンツの利用に際し、利用すべきコンテンツを蓄積したトラックの前記コピー管理情報により規定されるコピー許可形態であることを確認した上で、当該コンテンツの暗号化又は出力を行うことを特徴とする蓄積型磁気記録装置。
【請求項９】
請求項５に記載の磁気記録媒体を備え、放送又は通信を介して得られるコンテンツを、当該コンテンツの配信者が許可した利用期間に対応する前記期間管理情報を持つトラックに蓄積することを特徴とする蓄積型磁気記録装置。
【請求項１０】
請求項５に記載の磁気記録媒体を備え、放送又は通信を介して得られるコンテンツを、当該コンテンツの利用者が許可された利用期間に対応する前記期間管理情報を持つトラックに蓄積することを特徴とする蓄積型磁気記録装置。
【請求項１１】
請求項９又は１０に記載の蓄積型磁気記録装置において、前記コンテンツの利用に際し、利用すべきコンテンツを蓄積したトラックの前記期間管理情報により規定される利用許可期間内であることを確認した上で、当該コンテンツの読み取り又は復号化を行うことを特徴とする蓄積型磁気記録装置。
【発明の詳細な説明】
【０００１】
【発明の属する技術分野】
本発明は、コンテンツ管理情報が埋め込まれた磁気記録媒体及び蓄積型磁気記録装置に関し、特に、放送又は通信を介して得られるコンテンツを蓄積する蓄積型磁気記録装置に用いてコンテンツのセキュリティの向上を図り、不正利用を防止するために好適である。
【０００２】
【従来の技術】
ネットワーク通信における情報コンテンツの配信を行うにあたり、大容量の通信機構と磁気記録装置（ハードディスクドライブ）を用いた情報コンテンツ蓄積型の情報配信システムが検討されている。上記システムでは、高品質、大規模な情報コンテンツ（デジタル情報であるため、コピーによる劣化がない）が伝送、蓄積されるため、改ざん、不正コピーなどの不正利用などから情報コンテンツを守る高いセキュリティ性が求められている。
【０００３】
ところで、従来、情報コンテンツを不正利用から守る手段としては、コンテンツごとにＩＤを設定し、管理する方法がとられてきた。具体的には、許可されたユーザーにのみＩＤコードを付加した情報コンテンツを配信し、情報コンテンツの利用を可能にするという方法である。この方式の欠点は、第三者にＩＤコードが「横流し」されることにより、不正利用がなされてしまうことであった。
【０００４】
上記の問題点を解決する手段として、コンテンツＩＤのみならず、通信を利用したユーザー管理により、不正利用を防止する方式が考えられている。一例としては、通信を介して、電子署名を送信することにより、許可されたユーザーのみが情報コンテンツを復号化し、利用を可能にするなどの方式が存在する。
【０００５】
【発明が解決しようとする課題】
このように通信機構を利用したセキュリティ性を確保するシステムの開発、規格化は進められつつあり、これらはソフト的なＩＤ管理手段である。これに対し、蓄積機構である磁気記録装置のセキュリティ性の向上手段については、いまだ確定的な手段が存在していない。
【０００６】
蓄積型の情報配信システムでは、利用許可の有無のほか、コピー形態など、ユーザーごとにさまざまな利用形態が想定され、それらを、すべて通信機構を介して管理することは、通信路を経由する間に、悪意ある第三者に改ざん、不正コピーされる危険性があるという問題点があった。
本発明は、上述の点に鑑み、コンテンツの利用形態を管理するためのコンテンツ管理情報を磁気記録媒体に埋め込むことにより、コンテンツの種々の利用形態に対応しつつ不正利用を防止できるようにした磁気記録媒体及び蓄積型磁気記録装置を提供することを目的とする。
【０００７】
【課題を解決するための手段】
上述の目的を達成するため、本発明の磁気記録媒体は、予めデータパターンが埋め込まれている磁気記録媒体において、データパターンの少なくとも一部はコンテンツ管理情報に対応するパターンであることを特徴とする。
ここで、コンテンツ管理情報に対応するパターンがトラックごとに設けられていることが好ましい。
【０００８】
また、データパターンは、非磁性基板上にパターン化された凹凸を形成し、その上に磁性層を成膜することにより埋め込まれたものであることが好ましい。
さらに、コンテンツ管理情報は、コンテンツのコピーを管理するためのコピー管理情報とし、また、コンテンツの利用期間を管理するための期間管理情報とすることができる。
【０００９】
また、本発明の蓄積型磁気記録装置は、本発明の磁気記録媒体を備え、放送又は通信を介して得られるコンテンツを、当該コンテンツの配信者が許可したコピー形態に対応するコピー管理情報を持つトラックに蓄積することを特徴とし、また、放送又は通信を介して得られるコンテンツを、当該コンテンツの利用者が許可されたコピー形態に対応するコピー管理情報を持つトラックに蓄積することを特徴とする。
【００１０】
ここで、コンテンツの利用に際し、利用すべきコンテンツを蓄積したトラックのコピー管理情報により規定されるコピー許可形態であることを確認した上で、当該コンテンツの暗号化又は出力を行うことが好ましい。
さらに、本発明の蓄積型磁気記録装置は、本発明の磁気記録媒体を備え、放送又は通信を介して得られるコンテンツを、当該コンテンツの配信者が許可した利用期間に対応する期間管理情報を持つトラックに蓄積することを特徴とし、また、放送又は通信を介して得られるコンテンツを、当該コンテンツの利用者が許可された利用期間に対応する期間管理情報を持つトラックに蓄積することを特徴とする。
【００１１】
ここで、コンテンツの利用に際し、利用すべきコンテンツを蓄積したトラックの期間管理情報により規定される利用許可期間内であることを確認した上で、当該コンテンツの読み取り又は復号化を行うことが好ましい。
【００１２】
【発明の実施の形態】
以下、図面を参照して、本発明実施の形態を詳細に説明する。
［実施形態１］
本実施形態は、コンテンツ管理情報がコンテンツのコピーを管理するためのコピー管理情報である場合についてのものである。
【００１３】
図１に、情報コンテンツ蓄積型磁気記録装置１０１の構成例を示す。データパターンによりセキュリティ情報を埋め込んだ磁気記録媒体（磁気ディスク）１０３で磁気ディスクドライブ（ハードディスク装置）１０２を構成し、それを情報コンテンツ蓄積型磁気記録装置１０１に搭載する。情報コンテンツ蓄積型磁気記録装置１０１は情報コンテンツを暗号化・復号化するＬＳＩ１０４を持ち、再生装置１０５と接続している。
【００１４】
磁気記録媒体１０３にデータパターンを埋め込む手段としては、特開平６−６８４４４号公報や特開平７−１５３０４７号公報に記載されている方法を採用することができる。すなわち、図２に示すように、（ａ）パターンを形成したスタンパー２０１により、磁気記録媒体の非磁性基板２０２の表面に凹凸パターン２０３を形成し、（ｂ）その基板上に磁性層２０４を成膜し、（ｃ）磁気ヘッド２０５の発生する磁界２０６にて全体を着磁２０７し、（ｄ）次いで、一次着磁に用いた磁界２０６よりも弱い磁界２０８にて、凸部のみを着磁２０９することにより、磁化パターンを形成する。このようにして形成されたパターンは基板に成型されているため、磁気ヘッドにて改変不可能な埋め込み情報となる。
【００１５】
図３に、磁気記録媒体のデータパターン埋め込み領域を模式的に示す。上記のパターン埋め込み手段を用いて、サーボ情報、トラックＩＤ、メディアＩＤが、サーボ情報埋め込み領域３０３、トラックＩＤ埋め込み領域３０４、メディアＩＤ埋め込み領域３０５の各埋め込み領域に埋め込まれる。なお、３０１はコンテンツ記録領域、３０２はコンテンツＩＤ、コンテンツメタ情報記録領域で、磁気ヘッドによる書き込みが可能な領域である。
【００１６】
図４はトラックＩＤの詳細を説明するものである。本実施形態では、埋め込みパターンのトラックＩＤ埋め込み領域４０１（図３の３０４）に、各トラックにユニークなコードであるトラックＩＤに対応するパターン４０３とともに、コンテンツ管理情報としてのコピー管理情報に対応するパターン４０２を埋め込む。このコピー管理情報パターン４０２は、例えば、図４に示すのように、グレイコードにより分類されてトラックごとに設定される。
【００１７】
図５に、上記の蓄積型磁気記録装置を用いた、情報コンテンツ配信者５０１が許可するコピー形態においてのみ、情報コンテンツ利用者５０２が情報コンテンツ５０５をコピーすることを可能とする情報配信システムの構成例を示す。
コンテンツ利用者５０２は、コンテンツ配信者５０１に、情報コンテンツ５０５の配信要求５０３を行う。
【００１８】
コンテンツ配信者５０１は、コンテンツ利用者５０２からの配信要求５０３を受けると、コンテンツ利用者５０２に対し、課金５０４をする。それとともに、コンテンツ配信者５０１は、放送・通信を介して、暗号化した情報コンテンツ５０５を蓄積型磁気記録装置５０８に配信する。
情報コンテンツ５０５には、コンテンツにユニークなコンテンツＩＤ５０６、コンテンツの属性、利用形態などを記録するコンテンツメタ情報５０７が付属する。コンテンツ配信者５０１は、例えば、コンテンツメタ情報５０７の一部としてコピー許可形態情報５１０をコンテンツに付属して、配信する。
【００１９】
蓄積型磁気記録装置５０８は、送信されたコピー許可形態情報５１０に対応する、コピー管理情報パターン４０２（図４）を持つトラックに情報コンテンツ５０５を記録する。
情報コンテンツ５０５の利用に際しては、暗号化・復号化ＬＳＩ５０９において、メディアＩＤ５１１により、不正コピーではないことをチェック５１２し、次いで、コンテンツ利用者５０２より与えられるユーザーＩＤ５１３により、第三者による不正利用でないことをチェック５１４する。これらのチェックを行ったのち、情報コンテンツ５０５の復号化５１７を行うことにより利用者５０２によるコンテンツ再生５１８がなされる。
【００２０】
コンテンツ利用者５０２がコンテンツ５０５をコピーする際には、コピー管理情報５２０により、コンテンツ配信者５０１が許可するコピー利用形態であることを確認５１６後、情報コンテンツ５０５の暗号化５１９、および、出力を行う。この際、コンテンツ暗号化５１９の方式は配信時のコンテンツ暗号化方式と異なっていてもよい。逆に、復号化５１７される前の暗号化された情報コンテンツ５０５を出力する方式を取ることもできる。
［実施形態２］
実施形態１における、コピー管理情報パターン４０２をトラックＩＤパターン４０３とは別にしてトラックＩＤ埋め込み領域４０１に埋め込む形態ではなく、コピー管理情報をトラックＩＤの一部としてコード化することにより、コピー管理情報を保持する手段をとる。その他、情報コンテンツ配信方法、記録方法、利用方法については、実施形態１と同様である。
［実施形態３］
図６に、コンテンツ利用者６０２が許可されたコピー形態においてのみ、情報コンテンツ６０５をコピーすることを可能とする情報配信システムの構成例を示す。蓄積型磁気記録装置６０８、その内部の磁気記録媒体への埋め込みパターン構成、埋め込み手段について、実施形態１、乃至、実施形態２と同様である。
【００２１】
コンテンツ利用者６０２は、情報コンテンツ配信者６０１に、情報コンテンツの配信要求６０３を行う際に、希望するコピー形態の要求６２１を蓄積型磁気記録装置６０８に伝える。蓄積型磁気記録装置６０８は、希望コピー形態要求６２１に対応するコピー管理情報６２０（もしくは、それを含むトラックＩＤ６１５）を、コンテンツ利用者６０２に返信する。
【００２２】
コンテンツ利用者６０２は、保有するユーザーＩＤ６１３と、返信されてきたコピー管理情報６２０またはトラックＩＤ６１５を組み合わせ、コンテンツ配信者６０１に、配信要求６０３として送信する。コンテンツ利用者６０２ごとに蓄積型磁気記録装置６０８を保持する形態の場合は、蓄積型磁気記録装置６０８内において、ユーザーＩＤ６１３とコピー管理情報６２０を組み合わせてもよい。
【００２３】
コンテンツ配信者６０１は、送られてきた配信希望コンテンツの種類、希望コピー形態情報に応じて、コンテンツ利用者６０２に課金６０４する。
希望コピー形態要求６２１を送信する際には、公開鍵暗号を用いて暗号化し、コンテンツ配信者６０１は、秘密鍵により復号化し、希望コピー形態要求６２１を得るようにする。こうすれば、暗号化された送信データとその内容（希望コピー形態）の対応を、不正な第三者が知りえたとしても、暗号を解読する（秘密鍵を得る）ことはできない（つまり、ユーザーＩＤ６１３が漏洩することはない）。
【００２４】
配信要求６０３を受け取ると、コンテンツ配信者６０１は、暗号化した情報コンテンツ６０５を蓄積型磁気記録装置６０８に配信する。蓄積型磁気記録装置６０８は、送信された希望コピー形態要求６２１に対応する、コピー管理情報パターン４０２（図４）を持つトラックに情報コンテンツ６０５を記録する。この際には、コピー許可形態情報６１０が配信され、蓄積型磁気記録装置６０８が対応するトラックに記録する方式と、トラックＩＤ６１５が配信され、そのまま当該トラックに記録する方式の、どちらでもよい。情報コンテンツの利用に際しては、実施形態１と同様である。
［実施形態４］
実施形態３では、情報コンテンツの配信要求を行う際の希望コピー形態要求の付加を、コンテンツ利用者側にて行っている。本実施形態では、蓄積型磁気記録装置を複数のコンテンツ利用者で共有する場合において、配信要求に希望コピー形態要求を付加する過程を、共有する蓄積型磁気記録装置にて行う方式を用いる。
【００２５】
図７に、コンテンツ利用者７０２の配信要求７０３と希望コピー形態要求７２１を、蓄積型磁気記録装置７０８がコンテンツ配信者７０１に送信することにより、許可されたコピー形態においてのみ、情報コンテンツ７０５をコピーすることを可能とする情報配信システムの構成例を示す。
コンテンツ利用者７０２は、まず、配信要求７０３と希望コピー形態要求７２１、およびユーザーＩＤ７１３を、蓄積型磁気記録装置７０８に送信する。蓄積型磁気記録装置７０８は、コンテンツ利用者７０２から送られてきたユーザーＩＤ７１３と、希望コピー形態要求７２１に対応するコピー管理情報７２０（もしくは、それを含むトラックＩＤ７１５）を組み合わせ、コンテンツ配信者７０１に送信することにより、利用者の配信要求７０３を行う方式を用いる。
【００２６】
その他、情報コンテンツ配信方法、記録方法、利用方法については、実施形態３と同様である。
［実施形態５］
本実施形態は、コンテンツ管理情報がコンテンツの利用期間を管理するための期間管理情報である場合についてのものであり、本実施形態の磁気記録媒体は、図１から図３に関しては上述の実施形態１と同様である。
【００２７】
図８はトラックＩＤの詳細を説明するものである。本実施形態では、埋め込みパターンのトラックＩＤ埋め込み領域４０１（図３の３０４）に、各トラックにユニークなコードであるトラックＩＤに対応するパターン４０３とともに、コンテンツ管理情報としての期間管理情報に対応するパターン４０２を埋め込む。この期間管理情報パターン４０２は、例えば、図８に示すのように、グレイコードにより分類されてトラックごとに設定される。
【００２８】
図９に、上記の蓄積型磁気記録装置を用いた、情報コンテンツ配信者５０１が許可する利用期間内においてのみ、情報コンテンツ利用者５０２が情報コンテンツ５０５を利用することを可能とする情報配信システムの構成例を示す。
コンテンツ利用者５０２は、コンテンツ配信者５０１に、情報コンテンツ５０５の配信要求５０３を行う。
【００２９】
コンテンツ配信者５０１は、コンテンツ利用者５０２からの配信要求５０３を受けると、コンテンツ利用者５０２に対し、課金５０４をする。それとともに、コンテンツ配信者５０１は、放送・通信を介して、暗号化した情報コンテンツ５０５を蓄積型磁気記録装置５０８に配信する。
情報コンテンツ５０５には、コンテンツにユニークなコンテンツＩＤ５０６、コンテンツの属性、利用形態などを記録するコンテンツメタ情報５０７が付属する。コンテンツ配信者５０１は、例えば、コンテンツメタ情報５０７の一部として利用許可期間情報５１０をコンテンツに付属して、配信する。
【００３０】
蓄積型磁気記録装置５０８は、送信された利用許可期間情報５１０に対応する、期間管理情報パターン４０２（図８）を持つトラックに情報コンテンツ５０５を記録する。
情報コンテンツ５０５の利用に際しては、暗号化・復号化ＬＳＩ５０９において、メディアＩＤ５１１により、不正コピーではないことをチェック５１２し、次いで、コンテンツ利用者５０２より与えられるユーザーＩＤ５１３により、第三者による不正利用でないことをチェック５１４する。
【００３１】
さらに、期間管理情報５２０により、コンテンツ配信者５０１の利用許可期間内であることを確認５１６後、情報コンテンツ５０５の読み取り、および、復号化５１７を行うことにより、利用者５０２によるコンテンツ再生５１８がなされる。
［実施形態６］
実施形態５における、期間管理情報パターン４０２をトラックＩＤパターン４０３とは別にしてトラックＩＤ記録領域４０１に埋め込む形態ではなく、期間管理情報をトラックＩＤの一部としてコード化することにより、期間管理情報を保持する手段をとる。
【００３２】
その他、情報コンテンツ配信方法、記録方法、利用方法については、実施形態５と同様である。
［実施形態７］
図１０に、コンテンツ利用者６０２が許可された利用期間内においてのみ、情報コンテンツ６０５を利用することを可能とする情報配信システムの構成例を示す。蓄積型磁気記録装置６０８、その内部の磁気記録媒体への埋め込みパターン構成、埋め込み手段について、実施形態５、乃至、実施形態６と同様である。
【００３３】
コンテンツ利用者６０２は、情報コンテンツ配信者６０１に、情報コンテンツの配信要求６０３を行う際に、希望する利用期間の要求６２１を蓄積型磁気記録装置６０８に伝える。
蓄積型磁気記録装置６０８は、利用希望期間要求６２１に対応する期間管理情報６２０（もしくは、それを含むトラックＩＤ６１５）を、コンテンツ利用者６０２に返信する。
【００３４】
コンテンツ利用者６０２は、保有するユーザーＩＤ６１３と、返信されてきた期間管理情報６２０またはトラックＩＤ６１５を組み合わせ、コンテンツ配信者６０１に、配信要求６０３として送信する。
コンテンツ利用者６０２ごとに蓄積型磁気記録装置６０８を保持する形態の場合は、蓄積型磁気記録装置６０８内において、ユーザーＩＤ６１３と期間管理情報６２０を組み合わせてもよい。
【００３５】
コンテンツ配信者６０１は、送られてきた配信希望コンテンツの種類、利用希望期間情報に応じて、コンテンツ利用者６０２に課金６０４する。
利用希望期間要求６２１を送信する際には、公開鍵暗号を用いて暗号化し、コンテンツ配信者６０１は、秘密鍵により復号化し、利用希望期間要求６２１を得るようにする。こうすれば、暗号化された送信データとその内容（利用希望期間）の対応を、不正な第三者が知りえたとしても、暗号を解読する（秘密鍵を得る）ことはできない（つまり、ユーザーＩＤ６１３が漏洩することはない）。
【００３６】
配信要求６０３を受け取ると、コンテンツ配信者６０１は、暗号化した情報コンテンツ６０５を蓄積型磁気記録装置６０８に配信する。蓄積型磁気記録装置６０８は、送信された利用希望期間要求６２１に対応する、期間管理情報パターン４０２（図８）を持つトラックに情報コンテンツ６０５を記録する。この際には、利用許可期間情報６１０が付加され、蓄積型磁気記録装置６０８が対応するトラックに記録する方式と、トラックＩＤ６１５が付加され、そのまま当該トラックに記録する方式の、どちらでもよい。情報コンテンツの利用に際しては、実施形態５と同様である。
［実施形態８］
実施形態７では、情報コンテンツの配信要求を行う際の利用希望期間要求の付加を、コンテンツ利用者側にて行っている。本実施形態では、蓄積型磁気記録装置を複数のコンテンツ利用者で共有する場合において、配信要求に利用希望時間要求を付加する過程を、共有する蓄積型磁気記録装置にて行う方式を用いる。
【００３７】
図１１に、コンテンツ利用者７０２の配信要求７０３と利用希望期間要求７２１を、蓄積型磁気記録装置７０８がコンテンツ配信者７０１に送信することにより、許可された利用期間内においてのみ、情報コンテンツ７０５を利用することを可能とする情報配信システムの構成例を示す。
コンテンツ利用者７０２は、まず、配信希望７０３と利用希望期間要求７２１、およびユーザーＩＤ７１３を、蓄積型磁気記録装置７０８に送信する。蓄積型磁気記録装置７０８は、コンテンツ利用者７０２から送られてきたユーザーＩＤ７１３と、利用希望期間に対応する期間管理情報７２０（もしくは、それを含むトラックＩＤ７１５）を組み合わせ、コンテンツ配信者７０１に送信することにより、利用者の配信要求７０３を行う方式を用いる。
【００３８】
その他、情報コンテンツ配信方法、記録方法、利用方法については、実施形態７と同様である。
なお、以上の実施形態においては、基板成型による情報パターン埋め込みを提示したが、本発明は、パターン埋め込みに関して、本方式に限定するものではない。
【００３９】
【発明の効果】
以上のような本発明によれば、コンテンツ管理情報をハード的に管理することができるため、従来のソフト的な管理よりも改ざんに対する耐性が高いものとすることができる。特に、コンテンツ管理情報をトラックごとに保持することにより、トラックＩＤと組み合わせ、改ざんに対する耐性をより向上することができる。
【図面の簡単な説明】
【図１】本発明による蓄積型磁気記録装置の実施形態を示す構成図である。
【図２】パターン成型により情報を磁気記録媒体に埋め込む手順を模式的に示す本発明の実施形態の工程図であり、（ａ）から（ｄ）はその各工程を示す。
【図３】データパターンの埋め込み領域を模式的に示す本発明の実施形態の磁気記録媒体の部分平面図である。
【図４】コピー管理情報パターンの埋め込み形態を示す本発明の実施形態の構成図である。
【図５】情報コンテンツ配信者が許可するコピー形態においてのみ情報コンテンツ利用者が情報コンテンツを利用することを可能とする情報配信システムを示す本発明の実施形態の構成図である。
【図６】ユーザーＩＤとコピー管理情報をコンテンツ利用者側で組み合わせてコンテンツ配信者に送信することによりコンテンツ利用者が許可されたコピー形態においてのみ情報コンテンツを利用することを可能とする情報配信システムを示す本発明の実施形態の構成図である。
【図７】ユーザーＩＤとコピー管理情報を蓄積型磁気記録装置で組み合わせてコンテンツ配信者に送信することによりコンテンツ利用者が許可されたコピー形態においてのみ情報コンテンツを利用することを可能とする情報配信システムを示す本発明の実施形態の構成図である。
【図８】期間管理情報パターンの埋め込み形態を示す本発明の実施形態の構成図である。
【図９】情報コンテンツ配信者が許可する利用期間内においてのみ情報コンテンツ利用者が情報コンテンツを利用することを可能とする情報配信システムを示す本発明の実施形態の構成図である。
【図１０】ユーザーＩＤと期間管理情報をコンテンツ利用者側で組み合わせてコンテンツ配信者に送信することによりコンテンツ利用者が許可された利用期間内においてのみ情報コンテンツを利用することを可能とする情報配信システムを示す本発明の実施形態の構成図である。
【図１１】ユーザーＩＤと期間管理情報を蓄積型磁気記録装置で組み合わせてコンテンツ配信者に送信することによりコンテンツ利用者が許可された利用期間内においてのみ情報コンテンツを利用することを可能とする情報配信システムを示す本発明の実施形態の構成図である
【符号の説明】
１０１、５０８、６０８、７０８　蓄積型磁気記録装置
１０２　磁気ディスクドライブ
１０３　磁気記録媒体（磁気ディスク）
１０４、５０９、６０９、７０９　暗号化・復号化ＬＳＩ
１０５　再生装置
２０１　スタンパー
２０２　非磁性基板
２０３　凹凸パターン
２０４　磁性層
２０５　磁気ヘッド
２０６　磁性層全体を磁化する磁界
２０７　磁化
２０８　凸部を磁化する磁界
２０９　凸部の磁化
３０１　コンテンツ記録領域
３０２　コンテンツＩＤ、コンテンツメタ情報記録領域
３０３　サーボ情報埋め込み領域
３０４、４０１　トラックＩＤ埋め込み領域
３０５　メディアＩＤ埋め込み領域
４０２　コピー管理情報パターン又は期間管理情報パターン
４０３　トラックＩＤパターン
５０１、６０１、７０１　情報コンテンツ配信者
５０２、６０２、７０２　情報コンテンツ利用者
５０３、６０３、７０３　配信要求
５０４、６０４、７０４　課金
５０５、６０５、７０５　暗号化された情報コンテンツ
５０６、６０６、７０６　コンテンツＩＤ
５０７、６０７、７０７　コンテンツメタ情報
５１０、６１０、７１０　コピー許可形態情報又は利用許可期間情報
５１１、６１１、７１１　メディアＩＤ
５１２、６１２、７１２　メディアＩＤの照合
５１３、６１３、７１３　ユーザーＩＤ
５１４、６１４、７１４　ユーザーＩＤの照合
５１５、６１５、７１５　トラックＩＤ
５１６、６１６、７１６　トラックＩＤ、コピー許可形態、利用許可期間照合
５１７、６１７、７１７　コンテンツの復号化
５１８、６１８、７１８　利用者によるコンテンツ再生
５１９、６１９、７１９　コンテンツの暗号化
５２０、６２０、７２０　コピー管理情報又は期間管理情報
６２１、７２１　希望コピー形態要求又は利用希望期間要求
【図１】
2004054977.tif 000003
【図２】
2004054977.tif 000004
【図３】
2004054977.tif 000005
【図４】
2004054977.tif 000006
【図５】
2004054977.tif 000007
【図６】
2004054977.tif 000008
【図７】
2004054977.tif 000009
【図８】
2004054977.tif 000010
【図９】
2004054977.tif 000011
【図１０】
2004054977.tif 000012
【図１１】
2004054977.tif 000013